(57)【要約】【課題】  表示手段等の制限を受けず且つ潜在的な視線誘導を的確に行うことが可能な車両用表示装置を提供する。【解決手段】  車両用表示装置１は、表示部１１〜１５と、表示制御部２０とを有する。表示制御部２０は、車両乗員の視線を表示部１１〜１５の表示領域外に誘導する誘導情報を、表示部１１〜１５に表示させる。また、表示制御部２０は、誘導情報を、意識的な知覚限界値よりも低く且つ無意識的な知覚限界値以上で、表示部１１〜１５に表示させる。【選択図】      図１
2005059660.tif 000002
【特許請求の範囲】
【請求項１】
所定の情報を車両乗員に対して表示する表示手段と、
車両乗員の視線を前記表示手段の表示領域外に誘導する誘導情報を、意識的な知覚限界値よりも低く且つ無意識的な知覚限界値以上で、前記表示手段に表示させる表示制御手段と、
を備えることを特徴とする車両用表示装置。
【請求項２】
前記表示手段は、複数設置され、
複数の表示手段は、複数の表示領域を有する
ことを特徴とする請求項１に記載の車両用表示装置。
【請求項３】
車両情報を取得する車両情報取得手段と、
前記車両情報取得手段により取得された車両情報に基づいて、運転者が視認すべき視認領域を判断する視認領域判断手段と、を更に備え、
前記表示制御手段は、前記視認領域判断手段により運転者が視認すべきと判断された視認領域に基づいて運転者の視界範囲を判断すると共に、複数設置される前記表示手段のうち、前記運転者の視界範囲の外に表示領域を有する表示手段に、誘導情報を表示させる
ことを特徴とする請求項２に記載の車両用表示装置。
【請求項４】
前記表示制御手段は、前記視認領域判断手段により運転者が視認すべきと判断された視認領域と、誘導情報を表示させる前記表示手段の表示領域との距離に応じて、誘導情報の表示に強弱をつけることを特徴とする請求項３に記載の車両用表示装置。
【請求項５】
前記表示制御手段は、前記車両情報取得手段により取得される車両情報に基づいて、誘導情報の表示に強弱をつけることを特徴とする請求項３又は請求項４のいずれかに記載の車両用表示装置。
【請求項６】
前記表示制御手段は、運転操作以外の操作を受け付ける操作手段、所定の情報を音声にて運転者に提供する音声出力手段、及び前記表示手段のうち少なくとも１つからの信号に基づいて、誘導情報の表示に強弱をつけることを特徴とする請求項３〜請求項５のいずれか１項に記載の車両用表示装置。
【請求項７】
運転者の視線方向を検出する視線方向検出手段を更に備え、
前記表示制御手段は、視線方向検出手段により検出された運転者の視線方向が脇見時における視線方向である場合に、誘導情報を前記表示手段に表示させる
ことを特徴とする請求項３〜請求項６のいずれか１項に記載の車両用表示装置。
【請求項８】
前記表示制御手段は、前記視線方向検出手段により検出された視線方向近傍に表示領域を有する前記表示手段に、誘導情報を表示させることを特徴とする請求項７に記載の車両用表示装置。
【請求項９】
車両情報を取得する車両情報取得手段と、
前記車両情報取得手段からの車両情報に基づいて、車両の挙動を予測する挙動予測手段と、を更に備え、
前記表示制御手段は、前記挙動予測手段により予測される車両の挙動に応じて、誘導情報を前記表示手段に表示させる
ことを特徴とする請求項１又は請求項２のいずれかに記載の車両用表示装置。
【請求項１０】
前記表示制御手段は、ドット画像を含む誘導情報を前記表示手段に表示させることを特徴とする請求項１〜請求項９のいずれか１項に記載の車両用表示装置。
【請求項１１】
前記表示手段は、特定箇所に設けられた複数の光源からなり、
前記表示制御手段は、誘導情報を表示する際には、複数の光源のいずれかの点灯させる
ことを特徴とする請求項１に記載の車両用表示装置。
【請求項１２】
前記表示制御手段は、点灯制御をする際には、視線誘導の緊急度に応じて、光源の点灯時間及び点灯個数を制御することを特徴とする請求項１１に記載の車両用表示装置。
【請求項１３】
前記表示制御手段は、点灯制御をする際には、車両乗員の視線を誘導するために点灯させるべき光源と異なる位置に設けられた光源から、当該点灯させるべき光源に向けて、順次点灯させていくことを特徴とする請求項１１に記載の車両用表示装置。
【請求項１４】
前記複数の光源は、扇状に配置されていることを特徴とする請求項１１〜請求項１３に記載の車両用表示装置。
【発明の詳細な説明】
【技術分野】
【０００１】
本発明は、車両用表示装置に関する。
【背景技術】
【０００２】
従来、ヘッドアップディスプレイに各種情報を表示する車両用表示装置が知られている
。この装置では、車両乗員が視認すべき障害物などの対象を見落とすことがないように、ヘッドアップディスプレイにて、視認すべき対象の近傍に、アンダーライン等のシンボルを重ねて表示している。このため、乗員はの視線は視認すべき方向に誘導され、見落としが防止される。
【０００３】
さらに、上記装置では、シンボルを意識的な知覚限界値よりも低く、無意識的な知覚限界値以上で、表示している。このため、運転者には、無意識下において、すなわち潜在的範囲内においてシンボルが提示されることとなり、シンボルを意識的な知覚限界値以上で表示する場合に生じる煩わしさを軽減させている（特許文献１参照）。
【特許文献１】特開２００２−１３７６５３号公報
【発明の開示】
【発明が解決しようとする課題】
【０００４】
しかし、従来装置では、表示手段としてヘッドアップディスプレイを用いているため、ヘッドアップディスプレイの表示領域外、例えば車両側方などの対象についてはシンボルを重ねて表示できず、視線方向の誘導ができなくなってしまう。また、シンボルを重ねて表示する構成であるため、ヘッドアップディスプレイにように車両外部の景色等と共に表示する構成に限られ、ナビゲーション装置や単なる光源等の表示手段を用いたい場合には、視線誘導自体ができなくなってしまう。
【０００５】
本発明はこのような従来の課題を解決するためになされたものであり、その目的とするところは、表示手段等の制限を受けず且つ潜在的な視線誘導を的確に行うことが可能な車両用表示装置を提供することにある。
【課題を解決するための手段】
【０００６】
本発明によれば、所定の情報を車両乗員に対して表示する表示手段と、車両乗員の視線を前記表示手段の表示領域外に誘導する誘導情報を、意識的な知覚限界よりも低く且つ無意識的な知覚限界値以上で、表示手段に表示させる表示制御手段とを備えることを特徴とする。
【発明の効果】
【０００７】
本発明によれば、誘導情報を表示手段の表示領域外に誘導するものとして表示させているので、表示手段の表示領域を超えた箇所に乗員の視線を誘導させることができる。このため、例えば、視認すべき対象物が車両側方などに存在していたとしても、誘導情報の表示により運転者の視線方向を誘導することが可能となる。また、表示領域外に視線を誘導するため、車両外部の景色等をシンボル等とを共に表示する必要がなく、ナビゲーション装置や単なる光源等の表示手段を用いた場合であっても、視線誘導することが可能となる。従って、表示手段等の制限を受けず且つ潜在的な視線誘導を的確に行うことができる。
【発明を実施するための最良の形態】
【０００８】
以下、本発明の好適な実施形態を図面に基づいて説明する。
【０００９】
図１は、本発明の第１実施形態に係る車両用表示装置１の構成図である。同図に示すように、本装置１は、車両の乗員に対して各種情報を提示するものであって、表示部（表示手段）１１〜１５、表示制御部（表示制御手段）２０、車両情報取得部（車両情報取得手段）３０、車両情報判断部（視認領域判断手段）４０、及び表示位置関係ＤＢ５０を備えている。
【００１０】
表示部１１〜１５は、所定の情報を車両乗員に対して表示するものであって、具体的には、メーター１１、ナビ画面１２，ルームミラー１３、サイドミラー１４、及びＨＵＤ１５から構成されている。これらは、それぞれ異なる位置に設置されるため、表示部１１〜１５は、複数の表示領域を有することとなる。
【００１１】
上記各部１１〜１５のうち、メーター１１、ナビ画面１２及びＨＵＤ１５はもともと表示機能を有する表示手段の１つであるが、ルームミラー１３やサイドミラー１４のようにもともと表示機能を有していないものであっても、本実施形態では後述する誘導情報が表示されることから、表示手段の１つとして機能している。
【００１２】
表示制御部２０は、表示部１１〜１５に車両乗員の視線を誘導する誘導情報を表示させるものである。また、表示制御部２０は、意識的な知覚限界値より低く且つ無意識的な知覚限界値以上で、誘導情報を表示部１１〜１５に表示させるものである。
【００１３】
ここで、意識的な知覚限界値とは、何らかのものを人に対して表示する際に、視認者が意識的に知覚することができる表示時間等の限界を示すものである。一方、無意識的な知覚限界値とは、視認者が認識しているか否かにかかわらず人間の目でとらえることができる表示時間等の限界を示している。
【００１４】
このため、表示制御部２０は、意識的な知覚限界値より低く且つ無意識的な知覚限界値以上で表示を行うことにより、運転者が意識的に知覚することができないように、且つ人間の目でとらえることができるように、誘導情報を表示部１１〜１５に表示させることとなる。
【００１５】
ここで、ある種の情報を、意識的に知覚することができないように、且つ人間の目でとらえることができるように提供すると、視認者は潜在的に情報を認識して、その情報が示す行為等をする傾向にある。よって、意識的な知覚限界値より低く且つ無意識的な知覚限界値以上で誘導情報を表示すると、運転者は誘導情報に従って視線方向を変更することとなる。
【００１６】
なお、以下の説明において、意識的な知覚限界値より低く且つ無意識的な知覚限界値以上で表示を行うことを、サブリミナル表示と称する。
【００１７】
車両情報取得部３０は、車両情報を取得するものである。ここで、車両情報としては、車両の走行状態の情報や、車両の運転を行う際の操作情報や、車両周囲の環境情報等が挙げられる。従って、車両情報取得部３０には、車速を検出するセンサ、ウインカー操作を検知するセンサ、及びナビゲーションシステムから現在走行中の道路形状を検出する検出手段等が含まれる。
【００１８】
車両情報判断部４０は、車両情報取得部３０により取得された車両情報に基づいて、運転者が視認すべき視認領域を判断するものである。例えば、車両情報判断部４０は、ハンドル操作や、周囲の道路形状などから、車両の進行方向を判断し、この進行方向から運転者が視認すべき領域を判断する。
【００１９】
表示位置関係ＤＢ５０は、各表示部１１〜１５の表示領域の位置を記憶しているものである。表示部１１〜１５の表示領域の位置は車種や仕様の相違により異なることがある。例えば、車種に応じてミラーの位置が多少でも異なる場合には、表示領域が異なることとなる。このため、表示位置関係ＤＢ５０は、上記相違に応じた表示領域の情報を記憶していることとなる。
【００２０】
次に、各表示部１１〜１５の表示領域の詳細について説明する。図２は、本実施形態に係る各表示部１１〜１５の表示領域を示す説明図である。まず、各表示部１１〜１５のうちＨＵＤ１５は、運転者の前方のインストルメントパネル上部に設置され、フロントウインドガラスに設けられた半透過部材に表示像を投影し、この表示像を運転者に視認させる構成とされている。このため、ＨＵＤ１５の表示領域は、ウインドガラス部分となっている。特に、本実施形態では、運転者の前方且つウインドガラスの下方部分となっている。
【００２１】
一方、メーター１１及びナビ画面１２は、何らかの部材を介することなく直接に運転者に情報を提示する構成とされている。このため、これらの表示領域は、メーター１１やナビ画面１２自体の位置と等しくなっている。
【００２２】
また、ルームミラー１３及びサイドミラー１４は、もともと表示機能を有するものではないが、本実施形態ではナビ画面１２と同様にそれ自体が表示機能を有するものとして構成されている。このため、これらの表示領域は、ナビ画面１２等と同様に、ルームミラー１３及びサイドミラー１４自体の位置と等しくなっている。なお、ルームミラー１３及びサイドミラー１４に表示機能を持たせる代わりに、ＨＵＤ１５と同様に表示像を投影させる構成としてもよい。
【００２３】
次に、本実施形態に係る車両用表示装置１の動作について説明する。まず、車両運転中において、車両情報取得部３０は、上記した車両情報を取得する。そして、車両情報取得部３０は、取得した車両情報を逐次車両情報判断部４０に送信する。
【００２４】
車両情報の送信後、車両情報判断部４０は運転者が視認すべき視認領域を判断する。そして、車両情報判断部４０は視認領域の情報を表示制御部２０に送信する。その後、表示制御部２０は、視認領域に基づいて運転者の視界範囲を判断する。
【００２５】
図３を参照して具体的に説明する。図３は、視認領域及び運転者の視界範囲と、各表示部１１〜１５の表示領域との関係を示す説明図である。同図に示すように、例えば、直進道路において車両を走行させている場合、通常運転者はウィンドガラスの中央当たりを視認する。このため、車両情報判断部４０は、車両情報に基づき直進道路を走行中であると判断すると、ウインドガラス中央付近を視認すべき視認領域と判断する。
【００２６】
そして、表示制御部２０は、視認領域の情報に基づいて、運転者の視界範囲を判断する。ここで、視界範囲とは、視認領域よりも一定範囲分だけ広くされた領域であり、運転者が視認領域を視認時している場合に目に入る領域をいう。
【００２７】
このため、例えば、図３に示すように、運転者が視認領域を視認して運転しているとすると、実際の運転者の視界範囲には、メーター１１、ルームミラー１３、ＨＵＤ１５の表示領域が含まれることとなる。一方、運転者が脇見運転等をしているとすると、実際の運転者の視界範囲にはメーター１１、ルームミラー１３、ＨＵＤ１５の表示領域が含まれているとは限らず、むしろナビ画面１２やサイドミラー１４の表示領域が含まれている可能性がある。
【００２８】
そこで、表示制御部２０は、運転者の脇見運転等に対処すべく、視認すべき視認領域から視界領域を判断し、運転者が視認領域を視認している場合の視界範囲外に表示領域をナビ画面１２やサイドミラー１４に、誘導情報を表示させる。このとき、表示制御部２０は、表示位置関係ＤＢ５０に記憶される表示領域の位置情報に基づいて、運転者の視線を視認領域に誘導する誘導情報、すなわちナビ画面１２やサイドミラー１４の表示領域外に誘導する誘導情報を表示させる。
【００２９】
図４は、誘導情報の表示の様子を示す説明図である。同図に示すように、表示制御部２０は、誘導情報として矢印マークを表示させる。この矢印マークにより、運転者は矢印方向側に視線が誘導されることとなる。また、表示制御部２０は、矢印マークをサブリミナル表示させる。このため、運転者には矢印マークが潜在的に伝えられ、煩わしさがなく視線の誘導が促されることとなる。
【００３０】
図５は、誘導情報の他の例を示す説明図であり、（ａ）は第１の他の例を示しており、（ｂ）は第２の他の例を示している。まず、図５（ａ）に示すように、誘導情報は奥行きを含む情報であってもよい。これにより、奥行きを含んで視線誘導を促すこととなり、的確な方向及び遠近感での視線誘導が実現される。また、図５（ｂ）に示すように、誘導情報は車両に対する視認位置を示す情報であってもよい。これによっても、運転者は潜在的に視認位置を把握することとなり、的確な視線誘導が実現される。
【００３１】
なお、運転者が視認すべき視認領域は車両情報に応じて決定されるので、当然に移動するものである。例えば、右折時には運転者は正面よりやや右方を視認すべきである。このため、車両情報判断部４０は、右折中である場合、車両情報に基づき、正面よりやや右方を視認領域とする。そして、視認領域がやや右方等となると、当然に視線誘導すべき方向についても変更される。
【００３２】
図６は、視認領域が移動した場合の誘導情報の表示状態を示す説明図である。同図に示すように、視認領域が移動すると、各表示部１１〜１５にて表示される矢印等の向きが変更される。同図では、視認領域が正面よりやや右方に移動しているため、誘導情報は、この移動に追従すべく、誘導すべき方向を変更している。このため、本実施形態では、視認領域の移動に応じて視線の誘導方向を変更し、誤った範囲に視線を誘導してしまうという事態を回避している。
【００３３】
また、誘導情報は以下のドット画像であってもよい。図７は、ドット画像による誘導情報の表示例を示す説明図である。同図に示すドット画像は、複数表示され、通常時においてそれぞれランダム方向及びランダムな速度で移動するものである。ところが、表示制御部２０は、視線誘導を行う場合、複数のドット画像２０１，２０２のうち、いくつかを同一方向且つ同一の速度で移動させる。
【００３４】
これにより、いくつかドット画像２０１は、ナビ画面１２上において同じ動きを示すこととなる。このため、運転者は、特定方向及び速度にて動くドット画像２０１から、視認すべき方向を潜在的に知ることとなる。従って、運転者の視線が的確な方向に向くように視線誘導が実現される。
【００３５】
このようにして、本実施形態に係る車両用表示装置１によれば、誘導情報を表示部１１〜１５の表示領域外に誘導するものとして表示させているので、表示部１１〜１５の表示領域を超えた箇所に乗員の視線を誘導させることができる。このため、例えば、視認すべき対象物が車両側方などに存在していたとしても、誘導情報の表示により運転者の視線方向を誘導することが可能となる。また、表示領域外に視線を誘導するため、車両外部の景色等をシンボル等とを共に表示する必要がなく、メーター１１、ナビ画面１２、ルームミラー１３及びサイドミラー１４を用いた場合であっても、視線誘導することが可能となる。従って、表示手段等の制限を受けず且つ潜在的な視線誘導を的確に行うことができる。
【００３６】
また、表示部１１〜１５は、複数箇所に設され複数の表示領域を有するため、運転者が脇見等をしている場合であっても、運転者の視界にいずれかを表示領域が入りやすくなる。このため、表示領域が視界に入らずに、視線誘導をできなくなってしまう事態を少なくすることとなる。従って、一層、視線誘導を確実に行うことができる。
【００３７】
また、運転者が視認すべき視認領域を判断して、運転者の視界範囲を判断し、視界領域外に表示領域を有する表示部１１〜１５に誘導情報を表示させるので、運転者は、視認すべき領域に視線を向けているときには誘導情報が視界に入らず、脇見時など視認すべき領域に視線を向けていないときに誘導情報が視界に入ることとなる。従って、正確な方向の視認時には誘導情報により、運転への集中力が阻害されないようにすることができる。
【００３８】
また、誘導情報は複数のドット画像２０１，２０２を含み、表示制御部２０は、当該複数のドット画像２０１，２０２のうち、一部のドット画像２０１を同一の方向及び同一の大きさで動かす。さらに、残りのドット画像２０２を、任意の方向に動かす。これにより、他のドット画像２０２とは異なる一部のドット画像２０１の特徴的な動きを視認させることとなり、運転者に対し潜在的な意識下において視線を向けるべき方向を容易且つ確実に認識させることができる。
【００３９】
次に、本発明の第２実施形態について説明する。第２実施形態に係る車両用表示装置２は、第１実施形態のものと同様であるが、誘導情報の表示方法が第１実施形態のものと異なっている。
【００４０】
以下、第２実施形態に係る車両用表示装置２について説明する。図８及び図９は、本発明の第２実施形態に係る車両用表示装置２の誘導情報表示方法の説明図であり、図８は誘導情報の表示時における車内の様子を示し、図９は誘導情報の詳細内容を示している。なお、第１実施形態では、運転者の視界範囲外に表示領域を有する表示部１１〜１５にのみ誘導情報が表示されていたが、図８では説明の便宜上、すべての表示部１１〜１５に誘導情報を表示させるものとする。
【００４１】
図８に示すように、運転者の視線を視線領域に誘導するための誘導情報は、第１実施形態と同様にサブリミナル表示される。しかし、その表示内容は、視認すべき視線領域と表示部１１〜１５それぞれの表示領域との距離に応じて、異なっている。
【００４２】
すなわち、誘導情報は、視認すべき視線領域と表示部１１〜１５それぞれの表示領域との距離が長くなるほど強く表示され、短くなるほど弱く表示される。例えば、図９に示すように、誘導情報の表示間隔、大きさ及びコントラストを変更することにより、強弱をつけられる。
【００４３】
具体的に、表示制御部２０は、段階的に設けられた複数の閾値を、上記距離と比較し、上記距離がどの段階に属するかを判断する。そして、表示制御部２０は、判断結果に応じて強弱の度合いを決定する。
【００４４】
この強弱の度合いが決定されると、表示制御部２０は、強弱の度合いに従って、誘導情報の表示間隔を長くしたり短くしたりする。また、誘導情報を大きく表示したり小さく表示したりする。なお、強弱をつける場合であっても、意識的な知覚限界値を超えて表示されることはない。
【００４５】
また、表示制御部２０は、車両情報に基づいて誘導情報の表示に強弱をつけてもよい。例えば、運転者の操舵修正角が減ってきている場合や、車間距離が長すぎ又は短すぎる場合などに、運転者は、運転への注意力が低下している可能性がある。このため、表示制御部２０は、車両情報に基づいて注意力の低下を検知したときには、誘導情報の表示に強弱をつけることが可能となる。
【００４６】
このようにして、第２実施形態に係る車両用表示装置２によれば、第１実施形態と同様に、表示手段等の制限を受けず且つ潜在的な視線誘導を的確に行うことができ、一層、視線誘導を確実に行うことができ、正確な方向の視認時には誘導情報により、運転への集中力が阻害されないようにすることができる。また、ドット画像２０１，２０２による表示を行った場合、運転者に対し潜在的な意識下において容易且つ確実に認識させることができる。
【００４７】
また、表示部１１〜１５の表示領域と視認すべき視認領域との距離に応じて、誘導情報の表示に強弱をつけるので、運転者は、無意識的に視線を変更する距離の程度を知ることとなる。従って、一層、視線誘導を確実に行うことができる。
【００４８】
また、車両情報に基づいて誘導情報の表示に強弱を付けるので、運転者の運転への注意力に応じて誘導情報の表示に強弱をつけることが可能となる。例えば、運転者の操舵修正角が減ってきている場合や、車間距離が長すぎ又は短すぎる場合など、運転者の注意力が散漫になっているときに、強い表示を行う。このように、注意力に応じて誘導情報の表示に強弱を付けるので、適切な視線誘導を行うことができる。
【００４９】
次に、本発明の第３実施形態について説明する。第３実施形態に係る車両用表示装置３は、第１実施形態のものと同様であるが、操作部（操作手段）６０及び音声出力部（音声出力手段）７０等を備える点で第１実施形態と異なっている。
【００５０】
以下、第３実施形態に係る車両用表示装置３について説明する。図１０は、本発明の第３実施形態に係る車両用表示装置３の構成図である。同図に示すように、車両情報判断部４０には操作部６０及び音声出力部７０が接続されている。
【００５１】
操作部６０は、運転操作以外の操作を受け付けるものであり、ナビゲーションシステムやエアコンや音響機器等の操作を行うものである。また、操作部６０は、操作されるとその旨を示す信号を出力し、車両情報判断部４０を介して表示制御部２０に出力する構成とされている。なお、操作部６０は、表示部１１〜１５と一体的に構成されるものであってもよい。すなわち、操作部６０は、例えばナビゲーションシステムの操作パネルとナビ画面１２とを一体的に構成したタッチパネル方式のものであってもよい。
【００５２】
音声出力部７０は、所定の情報を音声にて運転者に提供するものであり、例えばＶＩＣＳ情報やナビゲーションシステムの音声による経路情報を出力するものである。また、音声出力部７０は、音声を出力している際にはその旨を示す信号を出力し、車両情報判断部４０を介して表示制御部２０に出力する構成とされている。なお、上記所定の情報としては、ＶＩＣＳ情報や経路情報の他に、ハンズフリーフォンの会話音声や、音響機器からの音楽等についても含まれる。
【００５３】
このような車両用表示装置３において、表示制御部２０は、操作部６０及び音声出力部７０からの信号を入力すると、これらの信号に基づいて誘導情報の表示に強弱をつける。すなわち、運転者が操作部６０を操作している場合には運転操作が散漫になっている可能性が高い。また、音声出力部７０から音声が出力されている場合も同様に、音声に注意を引かれ運転操作が散漫になっている可能性がある。このため、表示制御部２０は、運転者の運転への注意力に応じて的確に視線誘導すべく、誘導情報の表示に強弱を付ける。
【００５４】
また、表示制御部２０は、操作部６０及び音声出力部７０からの信号に加えて、表示部１１〜１５の少なくとも１つからの信号に基づいて、誘導情報の表示に強弱を付けてもよい。すなわち、表示部１１〜１５により運転者の注意を引くような情報が表示された場合、運転者の注意力は散漫になりやすい。例えば、ナビ画面１２から経路情報が提示されている場合には、運転者はその表示に注意が引かれやすくなっている。また、ガソリン残量が少なくなったことを示す給油ランプ等が点灯した場合にも、運転者は注意が引かれやすくなっている。
【００５５】
そこで、表示制御部２０は、これらの表示が行われたことを示す信号を入力した場合、誘導情報の表示に強弱を付け、的確に視線誘導するようにしている。
【００５６】
このようにして、第３実施形態に係る車両用表示装置３によれば、第１実施形態と同様に、表示手段等の制限を受けず且つ潜在的な視線誘導を的確に行うことができ、一層、視線誘導を確実に行うことができ、正確な方向の視認時には誘導情報により、運転への集中力が阻害されないようにすることができる。また、ドット画像２０１，２０２による表示を行った場合には、運転者に対し潜在的な意識下において視線を向けるべき方向を容易且つ確実に認識させることができる。
【００５７】
また、操作部６０、音声出力部７０、及び表示部１１〜１５の少なくとも１つからの信号に基づいて誘導情報の表示に強弱を付けるので、運転者の運転への注意力に応じて誘導情報の表示に強弱を付けることが可能となる。
【００５８】
例えば、運転者が操作部６０を操作している場合には運転操作が散漫になっている可能性が高い。また、音声出力部７０から音声が出力されている場合も同様に、音声に注意を引かれ運転操作が散漫になっている可能性がある。また、表示部１１〜１５から情報が提示されている場合も同様に、その情報の視認に注意を割かれ、運転操作が散漫になっている可能性がある。
【００５９】
このため、これらからの信号に基づいて誘導情報の表示に強弱をつけることで、運転者の注意力に応じた誘導情報の表示を行うことができる。従って、適切な視線誘導を行うことができる。
【００６０】
次に、本発明の第４実施形態について説明する。第４実施形態に係る車両用表示装置４は、第１実施形態のものと同様であるが、視線検知部（視線方向検出手段）８０を備える点で第１実施形態と異なっている。
【００６１】
以下、第４実施形態に係る車両用表示装置４について説明する。図１１は、本発明の第４実施形態に係る車両用表示装置４の構成図である。同図に示すように、表示制御部２０には視線検知部８０が接続されている。
【００６２】
視線検知部８０は、運転者の視線方向を検出するものであり、例えば車内に設置されたカメラ等により運転者の顔を撮像して眼の位置を検出し、その眼の動きなどから運転者の視線方向を検出するものである。従って、視線検知部８０は、視認すべき方向を求めるものではなく、運転者が実際に視認している方向を求めるものである。
【００６３】
このような車両用表示装置４において、表示制御部２０は、視線検知部８０により検出された視線方向が脇見時における視線方向である場合に、誘導情報を表示部１１〜１５にサブリミナル表示させる。このとき、脇見時における視線方向であるか否かは、予め定められた閾値に基づくものであってもよいし、車両情報判断部４０から得られる視認領域の情報に基づくものであってもよい。さらには、視認領域から求められる視界範囲に基づくものであってもよい。
【００６４】
また、運転者が現在どの方向を見ているかを検出できるため、表示制御部２０は、運転者の視線方向近傍に表示領域を有する表示部１１〜１５のみに、誘導情報をサブリミナル表示させて、的確に効率よく視線誘導を行うことができる。
【００６５】
このようにして、本実施形態に係る車両用表示装置４によれば、第１実施形態と同様に、表示手段等の制限を受けず且つ潜在的な視線誘導を的確に行うことができ、一層、視線誘導を確実に行うことができ、正確な方向の視認時には誘導情報により、運転への集中力が阻害されないようにすることができる。また、ドット画像２０１，２０２による表示を行った場合には、運転者に対し潜在的な意識下において視線を向けるべき方向を容易且つ確実に認識させることができる。
【００６６】
また、視線検知部８０により検出された視線方向が脇見を示すときに誘導情報が表示部１１〜１５に表示されるので、運転者は、前方方向を視認している場合など、脇見をしていないときに誘導情報が視界に入ることがない。従って、正確な方向の視認時には誘導情報により、運転への集中力が阻害されないようにすることができる。
【００６７】
また、誘導情報は、表示部１１〜１５のうち運転者の視線方向近傍に位置するものに表示されるので、的確に効率よく誘導情報を提供することができる。
【００６８】
次に、本発明の第５実施形態について説明する。第５実施形態に係る車両用表示装置５は、第１実施形態のものと同様であるが、後席モニタ１７、助手席用ＨＵＤ１８、インパネ表示部１９及び判定部（挙動予測手段）９０を備える点で第１実施形態と異なっている。
【００６９】
以下、第５実施形態に係る車両用表示装置５について説明する。図１２は、本発明の第５実施形態に係る車両用表示装置５の構成図であり、図１３は、本実施形態に係る各表示部１２，１６〜１９の表示領域等を示す説明図である。
【００７０】
図１２に示す車両用表示装置５は、好適には、車両運転者以外の乗員である同乗者に対して誘導情報を提供することにより、同乗者が乗り物酔い等してしまうことを抑制するものである。このため、表示部１２，１６〜１９は、同乗者が視認しやすい位置に設けられている。また、表示部１２，１６〜１９は、第１実施形態と同様に、同乗者の目に入りやすいよう、複数箇所に設けられ、複数の表示領域を有している。
【００７１】
ここで、図１３に示すように、ナビ画面１２は、上記の実施形態に示したものと同様であり、ミラー１６は、上記の実施形態に示したルームミラー１３及びサイドミラー１４を含むものである。また、後席モニタ１７は、後部座席の乗員に対し誘導情報を提供するものとして、運転席等の車両前側座席の後方に設置されている。
【００７２】
また、助手席用ＨＵＤ１８及びインパネ表示部１９は、助手席の乗員に対し誘導情報を提供するものとして設けられている。助手席用ＨＵＤ１８は、助手席乗員の前方のインストルメントパネル上部に設置されている。また、助手席用ＨＵＤ１８は、ＨＵＤ１５と同様に、フロントウインドガラスに設けられた半透過部材に表示像を投影して、視認させる構成とされている。インパネ表示部１９は、助手席前方のインパネ下方部分及びグローブボックス付近に配置されており、例えば助手席の乗員がやや下方を視認している場合に、視認可能とされている。
【００７３】
判定部９０は、車両情報取得部３０からの車両情報に基づいて、車両の挙動、すなわち、加減速や右左折等を判断するものである。具体的に、判定部９０は、運転者のアクセル及びブレーキ操作や、ナビゲーションシステムにて得られる現在の車両が走行する道路の道路形状、ギヤ、エンジン回転数、及び操舵角などに基づいて車両の挙動を予測する。
【００７４】
このような車両用表示装置５において、判定部９０は、車両情報取得部３０が取得した車両情報に基づいて車両の挙動を予測する。そして、判定部９０は、予測結果の情報を表示制御部２０に送信する。その後、表示制御部２０は、予測結果に基づいて助手席等の乗員がどの方向に視線を向けるべきか判断する。そして、各表示部１２，１６〜１９に誘導情報を表示させる。
【００７５】
図１４は、誘導情報の表示の様子を示す説明図である。例えば、直進道路を車両が走行する場合、同乗者はウィンドガラスの中央当たりを視認するべきである。このため、表示制御部２０は、車両情報から直進道路を走行中であることを判断すると、ウインドガラス中央付近に視線を誘導すべく、誘導情報をサブリミナル表示させる。
【００７６】
図１５は、誘導情報の他の例を示す説明図であり、（ａ）は車両直進時の例を示しており、（ｂ）は車両右折時の例を示しており、（ｃ）は車両左折時の例を示している。図１４に示す例では、同乗者が視線を向けるべき方向を矢印マーク等により伝えていた。ところが、図１５に示す例では、視線を向けるべき方向ではなく、単に車両が今後示す挙動を伝えている。すなわち、すべての表示部１２，１６〜１９に対し、同じ情報が表示されることとなる。
【００７７】
まず、図１５（ａ）に示すように、車両直進時においては、今後車両が直進走行する旨の表示を行う。また、図１５（ｂ）及び（ｃ）に示すように、今後車両が右折又は左折する旨の表示を行う。これにより、同乗者は今後の車両の挙動を潜在的に認識して、視線の変更を行うこととなる。このとき、例えば、同乗者がインパネ表示部１９を視認していたとすると、車両前方方向等に視線誘導されることにより、運転者の視線は、表示領域の外側に誘導されることとなる。
【００７８】
また、本実施形態では、図１４及び図１５に示す例の他に、上記実施形態と同様にドット画像２０１，２０２による視線誘導を行ってもよい。
【００７９】
このようにして、第５実施形態に係る車両用表示装置５によれば、第１実施形態と同様に、表示手段等の制限を受けず且つ潜在的な視線誘導を的確に行うことができる。
【００８０】
また、表示部１２，１６〜１９は、複数箇所に設され複数の表示領域を有するため、同乗者がいずれの方向を見ている場合であっても、同乗者の視界にいずれかの表示領域が入りやすくなる。従って、一層、視線誘導を確実に行うことができる。
【００８１】
また、車両挙動を予測して同乗者にサブリミナル表示するので、同乗者は車両の挙動を事前に察知し、誘導情報にて誘導される方向（表示領域外）に視線を向けることとなる。従って、乗り物酔い等を抑制することができる。また、ドット画像２０１，２０２による表示を行った場合には、運転者に対し潜在的な意識下において視線を向けるべき方向を容易且つ確実に認識させることができる。
【００８２】
次に、本発明の第６実施形態について説明する。第６実施形態に係る車両用表示装置６は、第１実施形態のものと同様に、誘導情報をサブリミナル表示して視線誘導を行うものであるが、構成及び処理内容が第１実施形態と異なっている。
【００８３】
以下、第６実施形態に係る車両用表示装置６について説明する。図１６は、本発明の第６実施形態に係る車両用表示装置６の構成図である。同図に示すように、車両用表示装置６は、対象物検出部１００、及びパラメータ算出部１１０、光源点灯コントロール部（表示制御手段）１２０、及び複数の光源（表示手段）１３０１〜１３０ｎ（ｎは２以上の整数）を備えている。
【００８４】
対象物検出部１００は、車両外の対象物を検出すべく車両周囲を監視するものであり、例えば、スキャニング式レーザーレーダーや赤外線カメラ等が用いられる。また、対象物検出部１００は、監視した結果の情報である対象物情報を生成し、パラメータ算出部１１０に送信する構成とされている。
【００８５】
パラメータ算出部１１０は、対象物検出部１００からの対象物情報を入力すると、車両周囲に対象物が存在するか否かを判断し、存在すると判断した場合には、どの方向に対象物が存在するかを求めるものである。
【００８６】
例えば、パラメータ算出部１１０は、対象物検出部１００がスキャニング式レーザーレーダーである場合には、スキャニング結果に基づいて、対象物の存在を判断する。そして、対象物の存在を検知すると、スキャニングされた方向に基づいて、対象物の存在方向を判断する。
【００８７】
また、対象物検出部１００が赤外線カメラである場合、パラメータ算出部１１０は、画像処理を行って対象物の存在を判断する。そして、対象物の存在を検知すると、画像中における対象物の存在位置に基づいて、対象物の存在方向を判断する。
【００８８】
光源点灯コントロール部１２０は、パラメータ算出部１１０にて判断された対象物存在方向の情報を入力して、複数の光源１３０１〜１３０ｎの点灯制御を行うものである。また、光源点灯コントロール部１２０は、所定の対応表を記憶しており、点灯制御を行う際には対応表を参照して、複数の光源１３０１〜１３０ｎから点灯させるものを選択し、且つ、点灯持続時間をどれだけの時間とするかを決定するものである。
【００８９】
複数の光源１３０１〜１３０ｎは、例えば運転席前方のインストルメントパネル上部に設置されている。図１７は、複数の光源１３０１〜１３０ｎの配置の様子を示す説明図である。同図では、５つの光源１３０１〜１３０５が横一列に配置されている。また、光源は発光することで車両乗員に情報を伝えることから、５つの光源１３０１〜１３０５の表示領域はそれら自体の設置位置と等しい。なお、複数の光源１３０１〜１３０ｎは、同図に示すように、５つに限るものではなく、他の個数であってもよい。また、設置位置はインストルメントパネル上部に限らず、さらに各光源１３０１〜１３０ｎは横一列に配置されていなくともよい。
【００９０】
また、複数の光源１３０１〜１３０ｎは、点灯することによって、光源の表示範囲外に視線誘導する誘導情報を表示するものである。例えば、車両前方やや右側に対象物Ｏが存在する場合、車両前方やや右側に視線を誘導すべく、対応する位置の光源１３０１〜１３０ｎ（例えば図１７では光源１３０５など）が、光源点灯コントロール部１２０によって、点灯させられる。
【００９１】
このとき、車両乗員は点灯した光源１３０１〜１３０ｎが存在する側に視線を向けることとなる。そして、乗員の視線方向上には対象物Ｏが位置することとなり、乗員は、点灯した光源１３０１〜１３０ｎよりも対象物Ｏに注意が引かれ、結果的に光源１３０１〜１３０ｎの表示範囲外に視線誘導されることとなる。
【００９２】
次に、本実施形態の車両用表示装置６の動作について説明する。図１８は、本実施形態に係る車両用表示装置６の動作を示すフローチャートである。まず、対象物検出部１００は、車外を監視した結果から、対象物情報を生成し、パラメータ算出部１１０に送信する。そして、図１８に示すように、パラメータ算出部１１０は、対象物情報を入力し（ＳＴ１０）、車両周囲に対象物Ｏが存在するか否かを判断する（ＳＴ１１）。
【００９３】
対象物Ｏが存在しないと判断した場合（ＳＴ１１：ＮＯ）、処理は前述のステップＳＴ１０に戻り、パラメータ算出部１１０は、対象物情報の入力を待つこととなる。一方、存在すると判断した場合（ＳＴ１１：ＹＥＳ）、パラメータ算出部１１０は、対象物存在方向を求める（ＳＴ１２）。
【００９４】
図１９は、図１８の対象物存在方向判断処理（ＳＴ１２）の詳細内容を示す説明図である。なお、図１９では、車両前方方向をＸ軸、車両横方向をＹ軸としている。同図に示すように、対象物検出部１００が点Ｃの位置に設置されているとすると、パラメータ算出部１１０は、このＸＹ平面上において、点Ｃから対象物Ｏに向かう直線と、Ｘ軸との為す角度θを求める。そして、パラメータ算出部１１０は、この角度θを対象物存在方向とする。
【００９５】
対象物存在方向θを求めると、パラメータ算出部１１０は、この情報を光源点灯コントロール部１２０に送信する。そして、光源点灯コントロール部１２０は、予め記憶する対応表に基づいて、点灯光源及び点灯持続時間を決定する（ＳＴ１３）。
【００９６】
図２０は、図１８の点灯光源及び点灯持続時間の決定処理（ＳＴ１３）の詳細内容を示す説明図である。なお、図１８では、複数の光源１３０１〜１３０ｎとして、図１７と同様に５つの光源１３０１〜１３０５を用い、且つ点灯持続時間がすべて同じ場合の例を示している。
【００９７】
同図に示すように、光源点灯コントロール部１２０は、対象物存在方向θに基づいて、５つの光源１３０１〜１３０５のうちの点灯させるものを決定する。例えば、対象物Ｏの存在方向θが「０°」以上「１０°」未満である場合には、光源点灯コントロール部１２０は、光源１３０４を「０．２ｓｅｃ」だけ点灯させると決定する。また、対象物存在方向θが「２０°」以上「３０°」未満である場合には、光源点灯コントロール部１２０は、光源１３０２を「０．２ｓｅｃ」だけ点灯させると決定する。すなわち、光源点灯コントロール部１２０は、乗員の視線上、又はその近傍に対象物Ｏが位置するように、対応する位置の光源を選択する。
【００９８】
その後、光源点灯コントロール部１２０は、複数の光源１３０１〜１３０ｎのうち、上記処理にて決定したものを点灯させる（ＳＴ１４）。すなわち、点灯により誘導情報を提供することとなる。その後、光源点灯コントロール部１２０は、点灯持続時間に達したか否かを判断する（ＳＴ１５）。点灯持続時間に達していないと判断した場合（ＳＴ１５：ＮＯ）、光源点灯コントロール部１２０は、点灯持続時間に達するまで、ステップＳＴ１５の判断処理を繰り返す。
【００９９】
一方、点灯持続時間に達したと判断した場合（ＳＴ１５：ＹＥＳ）、光源点灯コントロール部１２０は、点灯光源を消灯させる。その後、処理は終了する。そして、例えば、イグニッションスイッチがオフされるまで、上記の処理が繰り返し実行されることとなる。
【０１００】
なお、本実施形態では、複数の光源１３０１〜１３０ｎとしての５つの光源１３０１〜１３０５を、運転席前方に設置する例を示しているが、運転席前方から助手席側を経て、車両側方まで広範囲に設けることにより、乗員の視線誘導を広範囲に、特に車両側方まで行うことが可能となる。
【０１０１】
このようにして、本実施形態に係る車両用表示装置６によれば、誘導情報を複数の光源１３０１〜１３０ｎの表示領域外に誘導するものとして表示させているので、複数の光源１３０１〜１３０ｎの表示領域を超えた箇所に乗員の視線を誘導させることができる。このため、例えば、視認すべき対象物Ｏが車両側方などに存在していたとしても、誘導情報の表示により運転者の視線方向を誘導することが可能となる。また、表示領域外に視線を誘導するため、車両外部の景色等をシンボル等とを共に表示する必要がなく、複数の光源１３０１〜１３０ｎを用いた場合にも、視線誘導することが可能となっている。従って、表示手段等の制限を受けず且つ潜在的な視線誘導を的確に行うことができる。
【０１０２】
また、光源点灯コントロール部１２０は、誘導情報を表示する際には、特定箇所に設けられた複数の光源１３０１〜１３０ｎを用いている。このため、ＨＵＤ等を表示手段として用いる場合に比して、安価な構成とすることができる。
【０１０３】
次に、本発明の第７実施形態について説明する。第７実施形態に係る車両用表示装置７は、第６実施形態のものと同様の構成を有しているが、複数の光源１３０１〜１３０ｎの表示制御方法が第６実施形態と異なっている。
【０１０４】
以下、第７実施形態に係る車両用表示装置７について説明する。図２１は、複数の光源１３０１〜１３０ｎの配置例を示す説明図である。本実施形態では、複数の光源１３０１〜１３０ｎとして、図２１に示すように、７つの光源１３０１〜１３０７が横一列に配置されている。また、これら光源１３０１〜１３０７は、インストルメントパネル上部に設置されている。なお、個数及び設置位置はこれに限るものではないが、説明の便宜上、以下の説明においては、図２１に示すものを例に説明する。
【０１０５】
図２２は、本発明の第７実施形態に係る車両用表示装置７の動作を示すフローチャートである。なお、同図に示すステップＳＴ２０，ＳＴ２１，ＳＴ２４〜ＳＴ２６は、図１８に示すＳＴ１０，ＳＴ１１，ＳＴ１４〜ＳＴ１６と同様であるため、説明を省略する。
【０１０６】
ステップＳＴ２２において、パラメータ算出部１１０は、対象物存在方向及び対象物Ｏまでの距離を判断する（ＳＴ２２）。
【０１０７】
図２３は、図２２の対象物存在方向及び距離の判断処理（ＳＴ２２）の詳細内容を示す説明図である。なお、図２３では、車両前方方向をＸ軸、車両横方向をＹ軸としている。同図に示す角度θは、図１９を参照して説明したものと同様である。また、本実施形態では、角度θの他に、距離Ｄを求めている。
【０１０８】
ここで、対象物検出部１００が点Ｃの位置に設置されているとすると、距離Ｄは、ＸＹ平面上において点Ｃから対象物Ｏまでの長さに相当するものである。パラメータ算出部１１０は、この長さを求めて、これを対象物Ｏまでの距離Ｄとする。
【０１０９】
再度図２２を参照する。対象物存在方向θ及び対象物Ｏまでの距離Ｄを求めた後、パラメータ算出部１１０は、これら情報を光源点灯コントロール部１２０に送信する。そして、光源点灯コントロール部１２０は、予め記憶する対応表に基づいて、点灯光源及び点灯持続時間を決定する（ＳＴ２３）。
【０１１０】
図２４は、図２１の点灯光源及び点灯持続時間の決定処理（ＳＴ２３）の詳細内容を示す説明図である。同図に示すように、光源点灯コントロール部１２０は、対象物存在方向θ及び距離Ｄに基づいて、７つの光源１３０１〜１３０５のうちの点灯させるものを決定する。例えば、対象物Ｏの存在方向θが「０°」以上「１０°」未満で、且つ距離Ｄが「１０ｍ」以上である場合には、光源点灯コントロール部１２０は、光源１３０５を「０．１ｓｅｃ」だけ点灯させると決定する。
【０１１１】
また、図２１に示すように、車両前方の左側に対象物Ｏが存在し、対象物存在方向θが「３０°」以上「４０°」未満に該当する場合、距離Ｄが「５ｍ」未満であるとすると、光源点灯コントロール部１２０は、３つの光源１３０１〜１３０３を「０．２ｓｅｃ」だけ点灯させると決定する。
【０１１２】
再度、図２２を参照する。点灯光源及び点灯持続時間を決定した後、光源点灯コントロール部１２０は、７つの光源１３０１〜１３０７のうち、上記処理にて決定したものを点灯させる（ＳＴ２４）。そして、以下、図１８に示したステップＳＴ１５，ＳＴ１６と同様に処理を実行する。
【０１１３】
このように、光源点灯コントロール部１２０は、第６実施形態と同様に、乗員の視線上に対象物Ｏが位置するように、対応する位置の光源を点灯させる。また、これに加えて、光源点灯コントロール部１２０は、距離Ｄが「５ｍ」未満である場合には、点灯個数を３個とすると共に、点灯持続時間を「０．２ｓｅｃ」としている。一方、距離Ｄが「５ｍ」以上である場合には、点灯個数を１個とすると共に、点灯持続時間を「０．１ｓｅｃ」としている。
【０１１４】
すなわち、光源点灯コントロール部１２０は、対象物Ｏとの距離Ｄに基づいて、点灯個数及び点灯持続時間を制御していることとなる。ここで、距離Ｄに基づいて点灯個数及び点灯持続時間を制御する理由は、距離Ｄが小さくなるほど緊急を要する、すなわち乗員にいち早く知らせる必要があるからである。そこで、本実施形態では、距離Ｄが小さい場合として「５ｍ」未満である場合に、点灯個数を３個とし、且つ点灯持続時間を「０．２ｓｅｃ」としている。
【０１１５】
また、光源点灯コントロール部１２０は、距離Ｄ以外の他の情報を入力等して、点灯個数及び点灯持続時間を制御してもよい。すなわち、距離Ｄに限らず、乗員にいち早く知らせる必要がある場合、すなわち緊急度が高い場合に、点灯個数及び点灯持続時間を制御してもよい。
【０１１６】
例えば、夜間時や雨天時には視界不良を起こしやすく、視界良好時よりも乗員に車両外部の対象物Ｏをいち早く知らせる必要がある。そして、夜間時や雨天時には緊急度が高いものとして、点灯個数を増加させたり、点灯持続時間を長くしたりする。このように、光源点灯コントロール部１２０は、距離Ｄに限らず緊急度に応じて、点灯個数及び点灯持続時間を制御することで、一層視線誘導を的確に行うことができる。
【０１１７】
このようにして、本実施形態に係る車両用表示装置７によれば、第６実施形態と同様に表示手段等の制限を受けず且つ潜在的な視線誘導を的確に行うことができ、安価な構成とすることができる。
【０１１８】
また、緊急度に応じて、複数の光源１３０１〜１３０ｎのうち点灯させる個数及び点灯持続時間を制御するので、乗員にいち早く対象物Ｏを知らせる必要がある場合においては、より効果的に視線誘導を行うこととなり、一層視線誘導を的確に行うことができる。
【０１１９】
次に、本発明の第８実施形態について説明する。第８実施形態に係る車両用表示装置８は、第７実施形態のものと同様の構成を有しているが、複数の光源１３０１〜１３０ｎの表示制御方法が第７実施形態と異なっている。
【０１２０】
以下、第８実施形態に係る車両用表示装置８について説明する。なお、本実施形態では、第７実施形態と同様に、複数の光源１３０１〜１３０ｎとして図２１に示す７つの光源１３０１〜１３０７を用いているものとする。
【０１２１】
図２５は、本発明の第８実施形態に係る車両用表示装置８の動作を示すフローチャートである。なお、同図に示すステップＳＴ３０〜ＳＴ３３，ＳＴ３５，ＳＴ３６は、図２２に示すＳＴ２０〜ＳＴ２３，ＳＴ２５，ＳＴ２６と同様であるため、説明を省略する。
【０１２２】
まず、ステップＳＴ３４では、それ以前の処理にて、視線誘導すべき方向が特定され、且つ、その方向に視線誘導すべく７つの光源１３０１〜１３０７のうち点灯させるべきものが決定している。
【０１２３】
そして、ステップＳＴ３４において光源点灯コントロール部１２０は、上記点灯させるべき光源と異なる位置に設けられた光源を点灯させる（ＳＴ３４）。例えば、図２１に示す最も左側に位置する光源１３０１を点灯させるべきと決定していた場合、車両乗員の正面に位置する光源１３０４を点灯させる（ＳＴ３４）。以下便宜上、点灯させるべき光源を１３０１として説明する。
【０１２４】
そして、図２２に示すステップＳＴ２５，ＳＴ２６と同様に、光源点灯コントロール部１２０は、点灯持続時間に達したか否かを判断し（ＳＴ３５）、達したと判断した場合には、点灯している光源１３０４を消灯させる（ＳＴ３６）。
【０１２５】
その後、点灯すべき光源１３０１に達しているか否かを判断する（ＳＴ３７）。正面の光源１３０４を点灯させていた場合、点灯すべき光源１３０１に達していないため（ＳＴ３７：ＮＯ）、光源点灯コントロール部１２０は、次の光源１３０３を点灯させる（ＳＴ３８）。
【０１２６】
そして、同様にステップＳＴ３５〜ＳＴ３８の処理を繰り返していく。この繰り返しにより、光源点灯コントロール部１２０は、正面の光源１３０４から点灯させるべき光源１３０１に向けて、複数の光源１３０１〜１３０ｎを順次点灯させていくこととなる。そして、ステップＳＴ３７に至る。この時点において、点灯すべき光源１３０１に達していた場合（ＳＴ３７：ＹＥＳ）、処理は終了することとなる。
【０１２７】
このようにして、本実施形態に係る車両用表示装置８によれば、第７実施形態と同様に表示手段等の制限を受けず且つ潜在的な視線誘導を的確に行うことができ、安価な構成とすることができる。
【０１２８】
また、点灯制御をする際に、車両乗員の視線を誘導するために点灯させるべき光源と異なる位置に設けられた光源から、点灯させるべき光源に向けて、順次点灯させていくので、複数の光源１３０１〜１３０ｎを１度だけ点灯させる場合に比して、車両乗員に与える視線誘導の効果を高め、より的確に潜在的な視線誘導を行うことができる。
【０１２９】
ここで、上記第６〜第８の実施形態においては、複数の光源１３０１〜１３０ｎを横一列に配置する例を説明したが、これに限るものではなく、例えば、図２６に示すものでも構わない。図２６は、複数の光源１３０１〜１３０ｎの他の配置例を示す説明図である。
【０１３０】
この例において、複数の光源１３０１〜１３０ｎは扇状に配置されている。この配置では、複数の光源１３０１〜１３０ｎの周囲に存在する車両内部の機器等と比べ、形状が特異なものとなっており、視覚効果が高まることとなる。従って、より的確に潜在的な視線誘導を行うことができる。
【０１３１】
なお、上記では、本発明の車両用表示装置を各実施形態に基づいて説明したが、本発明は、これら各実施形態に限ることなく各実施形態の機能を組み合わせるようにしてもよいし、他に本発明の要旨を逸脱しない範囲内で変更してもよい。
【図面の簡単な説明】
【０１３２】
【図１】本発明の第１実施形態に係る車両用表示装置の構成図である。
【図２】本実施形態に係る各表示部の表示領域等を示す説明図である。
【図３】視認領域及び運転者の視界範囲と、各表示部の表示領域との関係を示す説明図である。
【図４】誘導情報の表示の様子を示す説明図である。
【図５】誘導情報の他の例を示す説明図であり、（ａ）は第１の他の例を示しており、（ｂ）は第２の他の例を示している。
【図６】視認領域が移動した場合の誘導情報の表示状態を示す説明図である。
【図７】ドット画像による誘導情報の表示例を示す説明図である。
【図８】本発明の第２実施形態に係る車両用表示装置の誘導情報表示方法の説明図であり、誘導情報の表示時における車内の様子を示している。
【図９】本発明の第２実施形態に係る車両用表示装置の誘導情報表示方法の説明図であり、誘導情報の詳細内容を示している。
【図１０】本発明の第３実施形態に係る車両用表示装置の構成図である。
【図１１】本発明の第４実施形態に係る車両用表示装置の構成図である。
【図１２】本発明の第５実施形態に係る車両用表示装置の構成図である。
【図１３】本実施形態に係る各表示部の表示領域等を示す説明図である。
【図１４】誘導情報の表示の様子を示す説明図である。
【図１５】誘導情報の他の例を示す説明図であり、（ａ）は車両直進時の例を示しており、（ｂ）は車両右折時の例を示しており、（ｃ）は車両左折時の例を示している。
【図１６】本発明の第６実施形態に係る車両用表示装置の構成図である。
【図１７】複数の光源の配置の様子を示す説明図である。
【図１８】本実施形態に係る車両用表示装置の動作を示すフローチャートである。
【図１９】図１８の対象物存在方向判断処理（ＳＴ１２）の詳細内容を示す説明図である。
【図２０】図１８の点灯光源及び点灯持続時間の決定処理（ＳＴ１３）の詳細内容を示す説明図である。
【図２１】複数の光源の配置例を示す説明図である。
【図２２】本発明の第７実施形態に係る車両用表示装置の動作を示すフローチャートである。
【図２３】図２２の対象物存在方向及び距離の判断処理（ＳＴ２２）の詳細内容を示す説明図である。
【図２４】図２１の点灯光源及び点灯持続時間の決定処理（ＳＴ２３）の詳細内容を示す説明図である。
【図２５】本発明の第８実施形態に係る車両用表示装置の動作を示すフローチャートである。
【図２６】複数の光源の他の配置例を示す説明図である。
【符号の説明】
【０１３３】
１〜８…車両用表示装置
１１…メーター（表示手段）
１２…ナビ画面（表示手段）
１３…ルームミラー（表示手段）
１４…サイドミラー（表示手段）
１５…ＨＵＤ（表示手段）
１６…ミラー（表示手段）
１７…後席モニタ（表示手段）
１８…ＨＵＤ（表示手段）
１９…インパネ表示部（表示手段）
２０…表示制御部（表示制御手段）
３０…車両情報取得部（車両情報取得手段）
４０…車両情報判断部（視認領域判断手段）
６０…操作部（操作手段）
７０…音声出力部（音声出力手段）
８０…視線検知部（視線方向検出手段）
９０…判定部（挙動予測手段）
１００…対象物検出部
１１０…パラメータ算出部
１２０…光源点灯コントロール部（表示制御手段）
２０１，２０２…ドット画像
１３０１〜１３０ｎ…光源（表示手段）
【図１】
2005059660.tif 000003
【図２】
2005059660.tif 000004
【図３】
2005059660.tif 000005
【図４】
2005059660.tif 000006
【図５】
2005059660.tif 000007
【図６】
2005059660.tif 000008
【図７】
2005059660.tif 000009
【図８】
2005059660.tif 000010
【図９】
2005059660.tif 000011
【図１０】
2005059660.tif 000012
【図１１】
2005059660.tif 000013
【図１２】
2005059660.tif 000014
【図１３】
2005059660.tif 000015
【図１４】
2005059660.tif 000016
【図１５】
2005059660.tif 000017
【図１６】
2005059660.tif 000018
【図１７】
2005059660.tif 000019
【図１８】
2005059660.tif 000020
【図１９】
2005059660.tif 000021
【図２０】
2005059660.tif 000022
【図２１】
2005059660.tif 000023
【図２２】
2005059660.tif 000024
【図２３】
2005059660.tif 000025
【図２４】
2005059660.tif 000026
【図２５】
2005059660.tif 000027
【図２６】
2005059660.tif 000028